(57)【要約】【課題】  回路基板と接続部材との接続解除を防止しつつ、回路基板とカバー体との設置スペースを従来よりも小さくすることが可能な遊技機の提供を目的とする。【解決手段】  本実施形態によれば、ハーネス９０の折り返し部分をハーネス露出開口８３から後側カバー体８０の外側に露出するようにしたので、後側カバー体８０と第１ＬＥＤ回路基板７０との間隔を近づけて、サイドランプ４０Ａの前後方向の寸法をコンパクト化できる。これにより、サイドランプ４０Ａの設置スペースを従来よりも小さくすることができる。また、ハーネス９０のうち、ハーネス露出開口部８３からの露出部分が後方へ引っ張られた場合でも、ハーネス９０の一部が、被覆壁８７Ｂにより引っ張り方向とは反対側に押さえられるので、引っ張り力が第１ＬＥＤ回路基板７０とハーネス９０との接続部分にかかり難くなり、ハーネス９０と第１ＬＥＤ回路基板７０との接続解除が防止される。【選択図】  図７
2007007098.tif 000002
【特許請求の範囲】
【請求項１】
遊技に係る電気回路を備えた回路基板と、
前記回路基板と他の電気的装置或いは電気的部品とを電気的に接続するための接続部材と、
前記回路基板に形成され、前記接続部材の端末部を接続可能とする接続部とを備えた遊技機において、
前記回路基板を被覆するカバー体と、
前記カバー体の前記回路基板が配設された側に設けられた収納空間と、
前記カバー体に形成されて、前記接続部を露出させるための第１の開口部と、
前記カバー体に形成されて、前記接続部の近傍部分を露出する第２の開口部とを設け、
前記接続部材の少なくとも一部が前記収納空間内に収納された状態で、前記接続部材は、前記第２の開口部を通して前記収納空間から前記カバー体の外側に露出されると共に、前記第１の開口部で前記接続部材の端末部が前記接続部に接続され、
前記カバー体には、前記収納空間と反対側に突出して、前記接続部材のうち前記カバー体からの露出部分の少なくとも一部を覆う被覆部が備えられたことを特徴とする遊技機。
【請求項２】
前記被覆部を前記接続部の近接位置に配置したことを特徴とする請求項１に記載の遊技機。
【請求項３】
前記カバー体において、前記第１の開口部と前記第２の開口部とは連通する１つの開口であることを特徴とする請求項１又は２に記載の遊技機。
【請求項４】
前記被覆部は、前記第１の開口部と前記第２の開口部とが連通した部分を覆うように設けられたことを特徴とする請求項３に記載の遊技機。
【請求項５】
前記第１の開口部と前記第２の開口部との間に前記カバー体の壁部により保護壁を形成したことを特徴とする請求項１乃至４の何れかに記載の遊技機。
【請求項６】
前記被覆部は、前記保護壁を覆うように設けたことを特徴とする請求項５に記載の遊技機。
【請求項７】
前記被覆部と前記保護壁との間を通過する前記接続部材を前記保護壁に載置したことを特徴とする請求項６に記載の遊技機。
【請求項８】
前記接続部材のうち前記カバー体からの露出部分を、前記カバー体から離れる側に膨らむように湾曲させて、その湾曲部分を前記被覆部によって押さえたことを特徴とする請求項１乃至７の何れかに記載の遊技機。
【請求項９】
前記接続部材の前記端末部には、前記接続部材を識別するための識別記号が記載されており、前記第１の開口部より前記識別記号を視認可能にしたことを特徴とする請求項１乃至８の何れかに記載の遊技機。
【請求項１０】
前記接続部材のうち前記端末部以外の部分には、前記接続部材を識別するための識別記号が記載されており、前記第１の開口部及び前記第２の開口部のうち少なくとも一方より前記識別信号を視認可能にしたことを特徴とする請求項１乃至９の何れかに記載の遊技機。
【請求項１１】
前記接続部材の端末部と前記接続部とに相互に着脱可能なコネクタ部をそれぞれ設けたことを特徴とする請求項１乃至１０の何れかに記載の遊技機。
【請求項１２】
前記第１の開口部は、前記接続部材の端末部に設けられた前記コネクタ部を挿入可能な大きさとしたことを特徴とする請求項１１に記載の遊技機。
【請求項１３】
遊技装置を有した装飾部材と前記カバー体との間に前記収納空間を形成し、
前記回路基板は、前記装飾部材と前記カバー体との間に挟まれて前記収納空間に収納されたことを特徴とする請求項１乃至１２の何れかに記載の遊技機。
【請求項１４】
前記被覆部と前記カバー体とは、それぞれ別体に形成され、
前記被覆部は、前記カバー体に取り付けて固定することができると共に、カバー体に固定した後には取り外しが困難になることを特徴とする記載の１乃至１３の何れかに記載の遊技機。
【請求項１５】
前記カバー体から突出した前記被覆部の突出量を調整するための突出量調整機構を備えたことを特徴とする請求項１乃至１４の何れかに記載の遊技機。
【請求項１６】
前記回路基板を挟んで前記カバー体と対向しかつそのカバー体との間に前記収納空間を有した第２カバー体を設け、
前記第２カバー体に、前記接続部材を挿通可能な第３の開口部を形成すると共に、前記第２カバー体のうち前記収納空間との反対面に前記他の電気的装置或いは電気的部品を取り付け、
前記接続部材は、前記第３の開口部を通して前記収納空間から前記第２カバー体の外側に露出されかつ、その接続部材に備えた第２端末部が、前記他の電気的装置或いは電気的部品に備えた第２接続部に接続されたことを特徴とする請求項１乃至１５の何れかに記載の遊技機。
【請求項１７】
前記他の電気的装置或いは電気的部品により、前記第３の開口部の一部を覆ったことを特徴とする請求項１６に記載の遊技機。
【請求項１８】
前記第２端末部と前記第２接続部とには、前記第３の開口部の貫通方向と略直交する方向で相互に着脱可能に嵌合されるコネクタ部が備えられたことを特徴とする請求項１６又は１７に記載の遊技機。
【請求項１９】
前記第２接続部は、前記他の電気的装置或いは電気的部品のうち、前記第２カバー体との対向面の反対面に配置され、
前記第２端末部と前記第２接続部とには、前記第３の開口部の貫通方向と略同一方向で相互に着脱可能に嵌合されるコネクタ部が備えられたことを特徴とする請求項１６又は１７に記載の遊技機。
【発明の詳細な説明】
【技術分野】
【０００１】
本発明は、回路基板を備えた遊技機に関する。
【背景技術】
【０００２】
図１７に示した従来の遊技機では、回路基板１と図示しない電気機器とが接続部材２（例えば、ハーネス）により電気的に接続されている。接続部材２と回路基板１との接続部分には、それぞれコネクタ３Ａ，３Ｂが設けられ、回路基板１に対向配置されたカバー体４によりそれらコネクタ３Ａ，３Ｂが覆われている。これにより、接続部材２と回路基板１との接続を解除することが不可能となり、不正行為（例えば、空きのコネクタ３Ａから電気的ノイズを与えて出玉操作する行為等）が防止されている。ここで、接続部材２は、回路基板１からカバー体４側に向かい、途中で湾曲して折り返され、カバー体４の側壁に形成された開口を通ってカバー体４の外側に引き出されている（例えば、特許文献１参照）
【特許文献１】特開２０００−１４０３５４号公報（段落［００５３］、第６図、第８図）
【発明の開示】
【発明が解決しようとする課題】
【０００３】
しかしながら、上記した従来の遊技機では、回路基板１とカバー体４との間にコネクタ３Ａ，３Ｂのみならず接続部材２の折り返し部分５も収容していたので、回路基板１からカバー体４を大きく離して配置する必要があった。このため、遊技機には、回路基板１とカバー体４とを対向した状態に取り付けるための大きな設置スペースが必要になっていた。
【０００４】
本発明は、上記事情に鑑みてなされたもので、回路基板と接続部材との接続解除を防止しつつ、回路基板とカバー体との設置スペースを従来よりも小さくすることが可能な遊技機の提供を目的とする。
【課題を解決するための手段】
【０００５】
上記目的を達成するためになされた請求項１の発明に係る遊技機は、遊技に係る電気回路を備えた回路基板と、回路基板と他の電気的装置或いは電気的部品とを電気的に接続するための接続部材と、回路基板に形成され、接続部材の端末部を接続可能とする接続部とを備えた遊技機において、回路基板を被覆するカバー体と、カバー体の回路基板が配設された側に設けられた収納空間と、カバー体に形成されて、接続部を露出させるための第１の開口部と、カバー体に形成されて、接続部の近傍部分を露出する第２の開口部とを設け、接続部材の少なくとも一部が収納空間内に収納された状態で、接続部材は、第２の開口部を通して収納空間からカバー体の外側に露出されると共に、第１の開口部で接続部材の端末部が接続部に接続され、カバー体には、収納空間と反対側に突出して、接続部材のうちカバー体からの露出部分の少なくとも一部を覆う被覆部が備えられたところに特徴を有する。
【０００６】
請求項２の発明は、請求項１に記載の遊技機において、被覆部を接続部の近接位置に配置したところに特徴を有する。
【０００７】
請求項３の発明は、請求項１又は２に記載の遊技機において、カバー体において、第１の開口部と第２の開口部とは連通する１つの開口であるところに特徴を有する。
【０００８】
請求項４の発明は、請求項３に記載の遊技機において、被覆部は、第１の開口部と第２の開口部とが連通した部分を覆うように設けられたところに特徴を有する。
【０００９】
請求項５の発明は、請求項１乃至４の何れかに記載の遊技機において、第１の開口部と第２の開口部との間にカバー体の壁部により保護壁を形成したところに特徴を有する。
【００１０】
請求項６の発明は、請求項５に記載の遊技機において、被覆部は、保護壁を覆うように設けたところに特徴を有する。
【００１１】
請求項７の発明は、請求項６に記載の遊技機において、被覆部と保護壁との間を通過する接続部材を保護壁に載置したところに特徴を有する。
【００１２】
請求項８の発明は、請求項１乃至７の何れかに記載の遊技機において、接続部材のうちカバー体からの露出部分を、カバー体から離れる側に膨らむように湾曲させて、その湾曲部分を被覆部によって押さえたところに特徴を有する。
【００１３】
請求項９の発明は、請求項１乃至８の何れかに記載の遊技機において、接続部材の端末部には、接続部材を識別するための識別記号が記載されており、第１の開口部より識別記号を視認可能にしたところに特徴を有する。
【００１４】
請求項１０の発明は、請求項１乃至９の何れかに記載の遊技機において、接続部材のうち端末部以外の部分には、接続部材を識別するための識別記号が記載されており、第１の開口部及び第２の開口部のうち少なくとも一方より識別信号を視認可能にしたところに特徴を有する。
【００１５】
請求項１１の発明は、請求項１乃至１０の何れかに記載の遊技機において、接続部材の端末部と接続部とに相互に着脱可能なコネクタ部をそれぞれ設けたところに特徴を有する。
【００１６】
請求項１２の発明は、請求項１１に記載の遊技機において、第１の開口部は、接続部材の端末部に設けられたコネクタ部を挿入可能な大きさとしたところに特徴を有する。
【００１７】
請求項１３の発明は、請求項１乃至１２の何れかに記載の遊技機において、遊技装置を有した装飾部材とカバー体との間に収納空間を形成し、回路基板は、装飾部材とカバー体との間に挟まれて収納空間に収納されたところに特徴を有する。
【００１８】
請求項１４の発明に係る記載の１乃至１３の何れかに記載の遊技機は、被覆部とカバー体とは、それぞれ別体に形成され、被覆部は、カバー体に取り付けて固定することができると共に、カバー体に固定した後には取り外しが困難になるところに特徴を有する。
【００１９】
請求項１５の発明は、請求項１乃至１４の何れかに記載の遊技機において、カバー体から突出した被覆部の突出量を調整するための突出量調整機構を備えたところに特徴を有する。
【００２０】
請求項１６の発明は、請求項１乃至１５の何れかに記載の遊技機において、回路基板を挟んでカバー体と対向しかつそのカバー体との間に収納空間を有した第２カバー体を設け、第２カバー体に、接続部材を挿通可能な第３の開口部を形成すると共に、第２カバー体のうち収納空間との反対面に他の電気的装置或いは電気的部品を取り付け、接続部材は、第３の開口部を通して収納空間から第２カバー体の外側に露出されかつ、その接続部材に備えた第２端末部が、他の電気的装置或いは電気的部品に備えた第２接続部に接続されたところに特徴を有する。
【００２１】
請求項１７の発明は、請求項１６に記載の遊技機において、他の電気的装置或いは電気的部品により、第３の開口部の一部を覆ったところに特徴を有する。
【００２２】
請求項１８の発明は、請求項１６又は１７に記載の遊技機において、第２端末部と第２接続部とには、第３の開口部の貫通方向と略直交する方向で相互に着脱可能に嵌合されるコネクタ部が備えられたところに特徴を有する。
【００２３】
請求項１９の発明は、請求項１６又は１７に記載の遊技機において、第２接続部は、他の電気的装置或いは電気的部品のうち、第２カバー体との対向面の反対面に配置され、第２端末部と第２接続部とには、第３の開口部の貫通方向と略同一方向で相互に着脱可能に嵌合されるコネクタ部が備えられたところに特徴を有する。
【発明の効果】
【００２４】
［請求項１，２，１３の発明］
請求項１の構成によれば、収納空間に収納された接続部材が第２の開口部を通ってカバー体の外側に露出すると共に、その接続部材の端末部が、第１の開口部で回路基板の接続部と電気的に接続している。このように請求項１の発明によれば、接続部材の一部がカバー体の外側にあるので、カバー体と回路基板との間隔を従来よりも近づけることができ、回路基板とカバー体との設置スペースをコンパクト化することができつつ、接続部材のうちカバー体からの露出部分の一部をカバー体に備えた被覆部で覆ったので、接続部材の端末部と回路基板の接続部との接続を不慮に解除することを防止することができる。
【００２５】
ここで、請求項２の構成のように、被覆部を回路基板の接続部の近接位置に配置すれば、接続部材の端末部と回路基板の接続部との接続解除の防止効果を強化することができる。  
【００２６】
また、請求項１３の構成のように、遊技装置を有した装飾部材とカバー体との間に収納空間を形成し、回路基板は、装飾部材とカバー体との間に挟まれて収納空間に収納されるようにしてもよい。
【００２７】
［請求項３の発明］
請求項３の構成によれば、回路基板と他の電気的装置或いは電気的部品とを接続部材で接続しておいてからカバー体を回路基板を覆うように取り付ければ、接続部材の折り返し部分がカバー体の第２の開口部から露出し、その露出部分の一部を被覆部で覆うことができる。また、第１の開口部と第２の開口部とは連通する１つの開口になるので、カバー体を成形しやすくすることができる。
【００２８】
［請求項４の発明］
請求項４の構成によれば、カバー体の外側から見たときに、互いに連通した第１の開口部と第２の開口部とを区別し易くなる。
【００２９】
［請求項５の発明］
請求項５の構成によれば、接続部材は、第２の開口部を通して収納空間からカバー体の外側に露出し、保護壁を跨いで第１の開口部において回路基板の接続部に接続される。即ち、接続部材は、カバー体の外側に露出した部分で折り返される。また、保護壁により回路基板の一部を保護することができる。
【００３０】
［請求項６，７の発明］
請求項６の構成によれば、接続部材を被覆部と保護壁との間に通すことができる。ここで、被覆部と保護壁との間を通過する接続部材を保護壁に載置してもよい（請求項７の発明）。
【００３１】
［請求項８の発明］
請求項８の構成によれば、被覆部が接続部材の露出部分を押さえるので、カバー体から露出して湾曲した部分のカバー体からの突出量を制限することができる。
【００３２】
［請求項９，１０の発明］
請求項９及び１０の構成によれば、接続部材が回路基板に接続された状態で、カバー体の外側から接続部材に記載された識別記号を視認することができる。
【００３３】
［請求項１１の発明］
請求項１１の構成によれば、接続部材の端末部と回路基板の接続部とをコネクタ接続できるので、接続部材と回路基板との着脱が容易になる。
【００３４】
［請求項１２の発明］
請求項１２の構成によれば、接続部材のコネクタ部を第１の開口部に挿入して、回路基板のコネクタ部と接続することができる。
【００３５】
［請求項１４の発明］
請求項１４の構成によれば、カバー体の外側に接続部材を露出させてから被覆部をカバー体に取り付けて固定することができるので、接続部材の一部が被覆部で覆われるように配置する作業が容易になる。
【００３６】
［請求項１５の発明］
請求項１５の構成によれば、接続部材のうち、カバー体から露出した部分の突出量に応じて被覆部の突出量を調整することができる。
【００３７】
［請求項１６の発明］
請求項１６の構成によれば、回路基板は第２カバー体とカバー体との間の収納空間に収容される一方、他の電気的装置或いは電気的部品は、第２カバー体を間に挟んで回路基板とは反対側に取り付けられ、回路基板に接続された接続部材の第２端末部は、第２カバー体に貫通形成された第３の開口部を通って、他の電気的装置或いは電気的部品に備えられた第２接続部に接続される。
【００３８】
［請求項１７の発明］
請求項１７の構成によれば、他の電気的装置或いは電気的部品が接続部材と接続されかつ第２カバー体に取り付けられた状態では、第３の開口部から接続部材の第２端末部を挿抜し難くなるか或いは挿抜不可能となる。
【００３９】
［請求項１８の発明］
請求項１８の構成によれば、他の電気的装置或いは電気的部品の第２接続部と、接続部材の第２端末部は、第３の開口部の貫通方向と略直交する方向で接続される。従って、接続部材が第３の開口部の貫通方向に引っ張られた場合でも、接続部材の第２端末部と第２接続部との間に引っ張り力がかかり難くなり、これらのコネクタ接合が解除されるのを防止することができる。また、回路基板と他の電気的装置或いは電気的部品とを接続した接続部材の長さを比較的短くすることができる。
【００４０】
［請求項１９の発明］
請求項１９の構成によれば、他の電気的装置或いは電気的部品の第２接続部と接続部材の第２端末部とは、他の電気的装置或いは電気的部品のうち、第２カバー体との対向面の反対面において、第３の開口部の貫通方向と略同一方向で相互に接続される。従って、接続部材が収納空間側に引っ張られた場合、その引っ張り方向と、第２接続部に対する第２端末部の離脱方向とが逆向きになり、これらのコネクタ接合が解除されるのを防止することができる。
【発明を実施するための最良の形態】
【００４１】
以下、本発明を適用したパチンコ遊技機１０に係る一実施形態を、図１〜図１０に基づいて説明する。図１に示すように、本実施形態のパチンコ遊技機１０の遊技盤１１には、ガイドレール１２で囲まれたほぼ円形の遊技領域Ｒ１が形成され、中央部には、表示装置１３が備えられている。遊技領域Ｒ１のうち表示装置１３の下方には、始動入賞口１４、大入賞口１５及び外れ球受け入れ口１６が、上から順に間隔を開けて並べて設けられている。また、遊技領域Ｒ１のうち表示装置１３等を挟んだ左右の両側には、上から順に、ランプ風車１７、始動ゲート１８、風車１９が設けられている。そして、始動入賞口１４の左右の両側には、一対のサイドランプ４０Ａ，４０Ｂが設けられている。両サイドランプ４０Ａ，４０Ｂは、ガイドレール１２に沿って設けられている。また、左側のサイドランプ４０Ａは右側のサイドランプ４０Ｂよりも若干縦長でかつ上方に配置されている。なお、遊技領域Ｒ１には、全体に亘って、図示しない複数の障害釘が起立している。
【００４２】
図１に示すように、パチンコ遊技機１０のうち、遊技盤１１より上方には、遊技盤１１の前面側に張り出した装飾ランプ３１が設けられている。パチンコ遊技機１０のうち遊技盤１１より下方には、上皿２７Ａ及び下皿２７Ｂが上下２段にして設けられている。上皿２７Ａの両側には、スピーカ３０Ｓが備えられている。また、上皿２７Ａに備えたボタン２９を押せば、上皿２７Ａから下皿２７Ｂに遊技球が移動して収容される。下皿２７Ｂの右端部に設けた操作ノブ２８を操作することで、上皿２７Ａに収容された遊技球が遊技盤１１に向けて弾き出されて遊技が開始される。
【００４３】
パチンコ遊技機１０の左側部には、プリペイドカードユニット３２が備えられている。プリペイドカードユニット３２には、カード挿入口３２Ｓが設けられ、このカード挿入口３２Ｓに、予め購入したプリペイドカードを挿入して、球貸しボタン３２Ｂを押すと、所定数の遊技球が上皿２７Ａに払い出される。
【００４４】
次に遊技盤１１の所要の各部位についてさらに詳説する。始動ゲート１８は、遊技球が潜って通過可能な門形構造をなし、通過した遊技球は、その始動ゲート１８に内蔵したゲートスイッチによって検出される。そして、その検出信号に基づいて、左側のサイドランプ４０Ａと一体に設けられた後述する普通図柄表示装置５４にて、複数（例えば、２つ）の普通図柄が変動表示される。
【００４５】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、２つの普通図柄が、所定の当たり図柄（例えば、奇数のぞろ目）となると、遊技盤１１の裏に設けたソレノイド（図示せず）が駆動して、可動翼片１４Ｃ，１４Ｃが所定期間（例えば、０．４秒）に亘って横に倒され、多くの遊技球が可動翼片１４Ｃ，１４Ｃに案内されて始動入賞口１４に入り得る状態になる。
【００４６】
始動入賞口１４に遊技球が入賞すると、始動入賞口１４内に設けた特別図柄始動スイッチが遊技球を検出し、その検出信号に基づいて表示装置１３が後述するように図柄を変動表示する。また、所定数の賞球が上皿２７Ａに払い出される。
【００４７】
大入賞口１５は、横長に形成されて、常には可動扉１５Ｔにて閉塞されて、遊技球が入賞できない状態となっている。そして、所謂「大当たり遊技」が実行されると、遊技盤１１の裏に設けた大入賞口用ソレノイド（図示せず）が駆動され、可動扉１５Ｔが所定期間に亘って前側に倒れる。これにより、大入賞口１５が開放され、可動扉１５Ｔを案内にして、大入賞口１５に多くの遊技球が入賞可能になる。ここで、可動扉１５Ｔが、開放してから閉じるまでの間を「ラウンド」と称すると、１つのラウンドは、可動扉１５Ｔの開放時間が２９秒に達したか、又は、大入賞口１５に遊技球が１０個入賞したか、の何れかの条件が先に満たされた場合に終了する。
【００４８】
大入賞口１５の内部には、図示しない継続入賞口と計数入賞口とが設けられており、これら継続入賞口及び計数入賞口は、選択的に何れか一方が開放される。より詳細には、可動扉１５Ｔが開いたときには、最初は継続入賞口が開放しており、継続入賞口に入賞後、継続入賞口は閉鎖し、計数入賞口の開放に切り替わる。そして、継続入賞口に入賞があると、これが継続入賞口内に設けた継続スイッチに検出されて、前述した終了条件を満たしてラウンドが終了した後で、連続して次のラウンドが実行される。また、計数入賞口に入賞があると、これが計数入賞口内に設けたカウントスイッチに検出されて、継続入賞口への入賞球と合わせて、大入賞口１５への入賞球がカウントされ、これらが前記したように計１０個に達したか否かがチェックされる。なお、本実施形態では、連続して実行されるラウンドの回数は最高１５回に設定されている。
【００４９】
表示装置１３は、全体として枠形構造をなした表示枠体２３の後端面に、図示しない液晶モジュール（詳細には、ＴＦＴ−ＬＣＤモジュール）を組み付けてなる。液晶モジュールのうち表示枠体２３によって取り囲まれた前面部分は、液晶画面２５となっており、遊技者は、表示枠体２３を通して液晶画面２５に表示された画像を見ることができる。
【００５０】
表示枠体２３は、遊技盤１１に形成された図示しない取付窓に嵌め込まれて、周縁部から張り出したフランジ部を遊技盤１１面に突き当てて固定されている。表示枠体２３の上辺部分と両側辺部分は、遊技盤１１から前方に突出している。これにより、液晶画面２５の前側を遊技球が流下することが規制されると共に、表示枠体２３の上方及び側方から表示枠体２３の内側へ遊技球が直接進入しないように規制されている。
【００５１】
液晶画面２５には、通常は、３つの左、中、右の特別図柄が、横並びに停止表示されている。これら特別図柄は、例えば、「０」〜「１１」の数字を表記した複数種類のもので構成されており、通常は、各特別図柄ごと、所定の種類のものが、液晶画面２５に停止表示されている。そして、始動入賞口１４に遊技球が入賞したときに当否判定され、各特別図柄が、例えば、上下方向にスクロールして変動表示され、所定時間後に、例えば、左、中、右の順で各特別図柄が停止表示される。このとき、例えば、当否判定の結果が当たりで全ての特別図柄が同じ図柄になった場合に、遊技が「大当たり状態」になり、可動扉１５Ｔが開かれる。これにより、多くの遊技球が可動扉１５Ｔに案内されて、大入賞口１５に入球可能となる。
【００５２】
また、各特別図柄が変動表示している間に、或いは、大当たり状態で、始動入賞口１４に遊技球が入球した場合には、その入球に基づく特別図柄の変動表示が最大で４回まで保留されるようになっている。そして、液晶画面２５において特別図柄の変動表示が開始されるときに、この保留回数が１つ減らされて、保留回数が０になるまでこの動作が繰り返される。なお、保留回数は、表示装置１３の上辺両端部に２つずつ備えられた計４つの保留ランプ１３Ｓの点灯数でもって遊技者に報知される。
【００５３】
サイドランプ４０Ａ，４０Ｂは複数のＬＥＤを内蔵してなり、遊技状態に応じて、それら複数のＬＥＤが所定の点滅パターンで点滅する。また、サイドランプ４０Ａ，４０Ｂの下端部には、サイド入賞部６６が一体に設けられている。サイド入賞部６６は、所謂、ポケット構造をなし、遊技球が丁度１つ入球可能な大きさで上方に開口している。サイド入賞部６６へ入球すると、その遊技球は、遊技盤１１の裏側に取り込まれ、代わりに所定数の賞球が上皿２７Ａに払い出さされる。
【００５４】
サイドランプ４０Ａ，４０Ｂのうち、遊技盤１１の左側に配置されたサイドランプ４０Ａの略中央には、図３に示すように、普通図柄表示装置５４が設けられている。この普通図柄表示装置５４にて表示される普通図柄は、例えば、「０」〜「９」の数字図柄で構成されており、通常は、各普通図柄ごとに、数字図柄が停止表示されている。普通図柄は、上述したように始動ゲート１８への遊技球の通過を起因に変動表示され、所定時間後に停止表示される。停止表示された２つの普通図柄が、例えば、奇数のぞろ目（例えば、「７  ７」）になった場合に始動口開放条件が成立し、始動入賞口１４の可動翼片１４Ｃ，１４Ｃが横に倒される。なお、普通図柄表示装置５４で表示する普通図柄は、数字に限るものではなく、アルファベットや記号等でもよい。
【００５５】
また、普通図柄が変動表示している間に遊技球が始動ゲート１８（図１を参照）を通過した場合には、その通過に起因した普通図柄の変動表示は直ちに行われず、一時的に保留される。本実施形態では、普通図柄の変動表示は、最大で４回まで保留されるようになっている。そして、普通図柄が停止表示されると、保留数が１つ減らされて、再度、普通図柄の変動表示が開始され、保留数が０になるまでこの動作が繰り返される。ここで、保留数は、サイドランプ４０Ａに設けられた４つの保留ＬＥＤ７４の点灯数によって遊技者に報知される。
【００５６】
図２に示すように、パチンコ遊技機１０の後面側には、遊技盤１１の後側に重なるようにして機構板１００が設けられている。機構板１００の後面のほぼ中央には、集合板１０１が設けられ、この集合板１０１の後方に重なるようにメイン制御基板収容ボックス１０２が設けられている。このメイン制御基板収容ボックス１０２には、パチンコ遊技機１０全体の制御を行うメイン制御基板（図示せず）が収容されている。また、メイン制御基板収容ボックス１０２の下方には、遊技球の払い出しに関する制御を行う払出制御基板（図示せず）を収容した払出制御基板収容ボックス１０３と、電源装置（図示せず）を収容した電源装置収容ボックス１０４とが横並びに配置されている。そして、電源装置収容ボックス１０４の下方には、上皿２７Ａに貯留された遊技球を遊技領域Ｒ１に向けて発射するための発射装置１０５が配置されている。
【００５７】
また、機構板１００の後面には、図示しないが、液晶画面２５の表示を制御する表示制御装置、スピーカ３０Ｓを駆動制御する音声制御装置、パチンコ遊技機１０に備えられた発光素子を駆動制御するランプ制御装置等がそれぞれ所定の位置に配置されている。以上が、パチンコ遊技機１０全体の構成に関する説明である。
【００５８】
さて、本実施形態のパチンコ遊技機１０では、左側のサイドランプ４０Ａに本発明が適用されている。サイドランプ４０Ａは、図３に示すように、一側面がガイドレール１２に沿うように略円弧状をなしており、上から順番に、装飾ＬＥＤ５２、普通図柄表示装置５４、保留ＬＥＤ７４、サイド入賞部６６を備えている。
【００５９】
図５に示すように、サイドランプ４０Ａは、第１ＬＥＤ回路基板７０及び第２ＬＥＤ回路基板５０を含む複数の部材を、ベース部材６０（本発明の「第２カバー体」に相当する）の前面側と後面側とに分けて取り付けてなる。そして、サイドランプ４０Ａは、遊技盤１１に形成された図示しない取付窓に嵌め込まれて、ベース部材６０の周縁部に形成されたフランジ部６１Ｆを遊技盤１１の前面に突き当てて固定されている。
【００６０】
ここで、図５に示すように、ベース部材６０を挟んで前後に分けて配置された第１ＬＥＤ回路基板７０及び第２ＬＥＤ回路基板５０の間は、図９に示すハーネス９０によって電気的に接続されている。ハーネス９０は、絶縁部材で被覆された複数本の配線コード９１の端末部をそれぞれ１つの配線コネクタ９２Ａ，９２Ｂ（本発明の「コネクタ部」に相当する）で束ねた構造をなし、配線コード９１及び両配線コネクタ９２Ａ，９２Ｂの所定の位置には、識別記号９３Ａ，９３Ｂが記載されている。
【００６１】
以下、サイドランプ４０Ａを構成する各部品について詳説する。
サイドランプ４０Ａのうち、ベース部材６０は、全体として平板構造をなし、例えば、半透明材料（例えば、アクリル樹脂）で形成されている。ベース部材６０は、遊技の演出内容に関連したデザイン形状をなしている。
【００６２】
ベース部材６０のほぼ中央には、縦長矩形のハーネス挿通口６３（本発明の「第３の開口部」に相当する）が前後方向（図８の紙面に直交する方向）に貫通形成され、ここに前記ハーネス９０が通されている。
【００６３】
ハーネス挿通口６３の下方には、複数（例えば、４つの）のＬＥＤ対向孔６４Ａが貫通形成されている。ＬＥＤ対向孔６４Ａの周縁部からは、後方に向かって筒壁６４が起立しており、これら筒壁６４同士が接合して一体化している。そして、この筒壁６４の内部に、後述する第１ＬＥＤ回路基板７０に実装された保留ＬＥＤ７４が突入している。
【００６４】
ベース部材６０の下端部には、サイド入賞部６６が設けられている。サイド入賞部６６は、ベース部材６０を前後に貫通した入賞口６６Ａの前側にポケット構造体６６Ｂを備えると共に、後側に入賞口６６Ａと連通した樋部６６Ｃを備える。ポケット構造体６６Ｂはベース部材６０の前面から突出して上方と後方に開放しており、その後方開口が入賞口６６Ａに連通している。また、樋部６６Ｃは、略「Ｕ」字構造をなしてベース部材６０の後方に延び、その底面には後方に向けて下るように傾斜した球誘導突条６６Ｔが形成されている。そして、サイド入賞部６６に入球した遊技球は、ポケット構造体６６Ｂから入賞口６６Ａを通って樋部６６Ｃに達し、樋部６６Ｃの球誘導突条６６Ｔによってベース部材６０の後面側、即ち、遊技盤１１の後面側に誘導される。なお、遊技盤１１の後面側に誘導された遊技球は、図示しない遊技球回収路を通って回収される。
【００６５】
さらにベース部材６０の後面からは、上記ハーネス挿通口６３、ＬＥＤ対向孔６４Ａ（筒壁６４）及び入賞口６６Ａを囲むようにして囲壁６２が起立している。そして、この囲壁６２に沿った複数箇所に、ベース部材６０と後述する後側カバー体８０（本発明の「カバー体」に相当する）とを一体に組み付けるための支持柱６５が起立している。なお、支持柱６５は、ベース部材６０の上端部と下端部及びその中間位置とに分散配置されており、囲壁６２よりも後方に突出している。以上がベース部材６０の説明である。
【００６６】
ベース部材６０の前面側には、本発明の「他の電気的装置或いは電気的部品」に相当する第２ＬＥＤ回路基板５０が備えられている。第２ＬＥＤ回路基板５０は、図８に示すように、ベース部材６０の形状に対応して縦長の異形状をなし、ベース部材６０の前面に螺旋止めされている。詳細には、第２ＬＥＤ回路基板５０の後面には、ベース部材６０の前面から起立した図示しないボス部が突き当てられ、第２ＬＥＤ回路基板５０を貫通した螺旋がそのボス部に螺合している。これにより、第２ＬＥＤ回路基板５０は、ベース部材６０の前面から浮いた状態に固定されている（図７を参照）。また、図８に示すように、第２ＬＥＤ回路基板５０は、ベース部材６０に形成されたハーネス挿通口６３の一部（詳細には、左半分）を前方から覆うように配置されている。
【００６７】
第２ＬＥＤ回路基板５０の前面上部には、例えば、５つの装飾ＬＥＤ５２が実装され、これらが第２ＬＥＤ回路基板５０から前方に突出している。また、第２ＬＥＤ回路基板５０の前面下部には、普通図柄表示装置５４としての２つの７セグメントＬＥＤ５４Ａ，５４Ｂが実装されている。７セグメントＬＥＤ５４Ａ，５４Ｂは直方体構造をなして第２ＬＥＤ回路基板５０から前方に突出しており、その前面が発光して普通図柄を表示するようになっている。
【００６８】
第２ＬＥＤ回路基板５０の前面中央には、基板コネクタ５３（本発明の「第２接続部」に相当する）が設けられている。基板コネクタ５３は、一端開放の箱形構造をなし、第２ＬＥＤ回路基板５０のうち、ハーネス挿通口６３と重なった部分に配置されている。また、基板コネクタ５３は、その接続口５３Ａを、ハーネス挿通口６３の貫通方向と直交するように側方に向けた状態にして配置されている。詳細には、接続口５３Ａは水平右方向（図８の右側）、即ち、ハーネス挿通口６３のうち第２ＬＥＤ回路基板５０で覆われていない部分に向いている。なお、配線コネクタ９２Ｂの第２ＬＥＤ回路基板５０からの突出量は、装飾ＬＥＤ５２及び７セグメントＬＥＤ５４Ａ，５４Ｂの突出量と略同一となっている。
【００６９】
そして、ベース部材６０のハーネス挿通口６３からベース部材６０の前面側（図８における紙面手前側）に出たハーネス９０が、略直角に左側方に屈曲されてその端末部に備えた配線コネクタ９２Ｂ（本発明の「第２端末部」に相当する）が、基板コネクタ５３の接続口５３Ａに突入して嵌合している。これにより、ハーネス９０が、ベース部材６０の後側（図８における紙面奥側）に引っ張られた場合でも、その引っ張り力は、ハーネス９０と第１ＬＥＤ回路基板７０との接続部分（基板コネクタ５３及び配線コネクタ９２Ｂ）にかかり難くなり、第２ＬＥＤ回路基板５０とハーネス９０との接続が解除され難くなっている。また、基板コネクタ５３の接続口５３Ａが前方（図８における紙面手前側）を向いた場合に比較して、ハーネス９０の屈曲が緩和されると共に、ハーネス９０の長さを短くすることができる。
【００７０】
ここで、ハーネス挿通口６３の開口広さは、配線コネクタ９２Ａ，９２Ｂが挿通可能な大きさであるが、第２ＬＥＤ回路基板５０をベース部材６０に取り付けたときの第２ＬＥＤ回路基板５０により覆われていない部分の開口広さは、配線コネクタ９２Ａ，９２Ｂが挿通不可能な大きさとなっている。つまり、ハーネス９０をハーネス挿通口６３に通した状態で、第２ＬＥ回路基板５０をベース部材６０に取り付けると、ハーネス９０がベース部材６０から離脱することが防止される。換言すれば、ハーネス９０をハーネス挿通口６３から抜き取るためには、第２ＬＥＤ回路基板５０をベース部材６０から取り外さなければならない。以上が第２ＬＥＤ回路基板５０の説明である。
【００７１】
第２ＬＥＤ回路基板５０の前面側には、装飾カバー体４１が取り付けられている。装飾カバー体４１は、ベース部材６０の形状に対応したデザイン形状をなしており、ベース部材６０に固定された第２ＬＥＤ回路基板５０を前方及び側方から覆っている。具体的には、装飾カバー体４１は、第２ＬＥＤ回路基板５０の前面を覆った前面壁４２と、その周縁部から後方に向かって起立した周壁４３とを備えて、後方に開放した構造をなしている。そして、図４に示すように、装飾カバー体４１の後方開口にベース部材６０の前面を宛がった状態にしてベース部材６０に固定されている。なお、装飾カバー体４１は、一部を除いて非透光性部材（例えば、ポリカーボネート）で形成されている。
【００７２】
装飾カバー体４１の前面壁４２には、図３に示すように、複数のＬＥＤ対向孔４４が貫通形成されている。ＬＥＤ対向孔４４の周縁部からは後方に向かって筒体（図示せず）が起立しており、この筒体に第２ＬＥＤ回路基板５０に配設された装飾ＬＥＤ５２の先端部分が突入している。そして、装飾ＬＥＤ５２の光が、ＬＥＤ対向孔４４を通って、前方に照射されるようになっている。このように、装飾ＬＥＤ５２の光が装飾カバー体４１を透過せずに、ＬＥＤ対向孔４４を通って直接、前方に照射されるので、光の強度低下が抑えられ点滅が視認し易くなる。
【００７３】
装飾カバー体４１の前面壁４２のうち、第２ＬＥＤ回路基板５０に備えられた７セグメントＬＥＤ５４Ａ，５４Ｂとの対向部分は、視認窓４５となっている。この視認窓４５は、半透明の部材（例えば、アクリル樹脂）で形成されているので、遊技者は、７セグメントＬＥＤ５４Ａ，５４Ｂの光を視認窓４５を通して視認することができる。以上が、装飾カバー体４１の説明である。
【００７４】
ここで、サイドランプ４０Ａのうち、上述したベース部材６０、第２ＬＥＤ回路基板５０及び装飾カバー体４１により、本発明の「装飾部材」が構成され、このうち、装飾ＬＥＤ５２及び７セグメントＬＥＤ５４Ａ，５４Ｂを実装した第２ＬＥＤ回路基板５０は、本発明の「遊技装置」に相当する。
【００７５】
次に、ベース部材６０の後面側の構成について説明する。
図５に示すように、ベース部材６０の後面側には、本発明の「回路基板」に相当する第１ＬＥＤ回路基板７０が備えられている。第１ＬＥＤ回路基板７０の前面で、ベース部材６０のＬＥＤ対向孔６４Ａと前後方向で対向した位置には、４つの保留ＬＥＤ７４（図３を参照）が実装されており、この保留ＬＥＤ７４の先端部分が、ベース部材６０の筒壁６４に突入している。保留ＬＥＤ７４の光は、ベース部材６０を透過するのではなく、筒壁６４の内部空間を通って直接、前方に照射されるので、保留ＬＥＤ７４の光の強度低下が抑えられ、保留ＬＥＤ７４の光を認識させ易くなる。これにより、遊技者に普通図柄の変動表示の保留回数を確実に把握させることができる。
【００７６】
一方、第１ＬＥＤ回路基板７０の後面には、２つの基板コネクタ７２，７３（本発明の「コネクタ部」に相当する）が上下に並べて設けられている。これら基板コネクタ７２，７３は、第１ＬＥＤ回路基板７０の上端寄り位置に配設され、後方に向かって接続口７２Ａ，７３Ａが開放した箱形構造をなしている。そして、下側の第１基板コネクタ７３に、図示しないランプ制御基板から延びたハーネスがコネクタ接続されると共に、上側の第２基板コネクタ７２に、前記第２ＬＥＤ回路基板５０に接続されたハーネス９０がコネクタ接続されている。
【００７７】
第１ＬＥＤ回路基板７０は、後側カバー体８０により後方から覆われている。後側カバー体８０は、ベース部材６０の囲壁６２で囲まれた部分と略同一形状の後壁８１と、その後壁８１の周縁部から前方に向かって起立した周壁８２とを備え、後壁８１の前面に第１ＬＥＤ回路基板７０が螺旋止めされている。また、後側カバー体８０の前面に、ベース部材６０から起立した複数の支持柱６５を突き当てて後側カバー体８０を貫通した螺旋を支持柱６５に螺合することで、後側カバー体８０とベース部材６０とが一体に固定されている。ここで、後側カバー体８０は、ベース部材６０の囲壁６２から離れた位置に固定されており、これらベース部材６０と後側カバー体８０で挟まれた収納空間Ｓに、第１ＬＥＤ回路基板７０及びハーネス９０の一部が収容されている。なお、後側カバー体８０は、合成樹脂（例えば、ポリカーボネート）で形成されている。
【００７８】
後側カバー体８０の後壁８１には、２つのコネクタ開口部８４，８６が上下に並べて貫通形成されている。具体的には、第１ＬＥＤ回路基板７０に設けられた下側の第１基板コネクタ７３との対向位置には、横長矩形の第１コネクタ開口部８６が形成され、上側の第２基板コネクタ７２との対向位置には、横長矩形の第２コネクタ開口部８４（本発明の「第１の開口部」に相当する）が形成されている。これら両コネクタ開口部８４，８６には、第１ＬＥＤ回路基板７０に備えた両基板コネクタ７２，７３が突入して後側カバー体８０の後方に突出している。また、第２コネクタ開口部８４の開口広さは、ハーネス９０の端末部に備えた配線コネクタ９２Ａ，９２Ｂが挿入可能な大きさとなっている。ここで、第２基板コネクタ７２が、第２コネクタ開口部８４から突出しているので、ハーネス９０の配線コネクタ９２Ａとの接続が容易になると共に、図６に示すように配線コネクタ９２Ａに記載された識別記号９３Ａ及び／或いは配線コード９１に記載された識別記号９３Ｂを後側カバー体８０の外側から視認することができる。よって、正規のハーネス９０が接続されているか否かを、例えば、カバー体８０を取り外すことなく確認することが可能である。
【００７９】
ところで、後側カバー体８０の後壁８１のうち、第２コネクタ開口部８４の上方には、ハーネス露出開口部８３（本発明の「第２の開口部」に相当する）が貫通形成されている。ハーネス露出開口部８３は、縦長矩形状をなし、第２コネクタ開口部８４と連通している。即ち、ハーネス露出開口部８３と第２コネクタ開口部８４とが１つの開口となっている。これにより、後側カバー体８０の製作時に、成形が容易になる。そして、図７に示すように、ハーネス露出開口部８３からハーネス９０の湾曲部分９０Ｗが後側カバー体８０の外側に露出している。これにより、図６に示すように、配線コード９１に記載された識別記号９３Ｂをハーネス露出開口部８３を介して視認することができるので、正規のハーネス９０が接続されているか否かを、例えば、後側カバー体８０を取り外すことなく確認することができる。ここで、ハーネス９０の湾曲部分９０Ｗをハーネス露出開口部８３から後側カバー体８０の外側に露出させたことで、ハーネス９０が過度に屈曲することが回避され、ハーネス９０にかかる負荷を軽減することができる。なお、ハーネス９０の湾曲部分９０Ｗは、配線コード９１が配線コネクタ９２Ａより後方に延びてから屈曲して折り返されてハーネス露出開口部８３に向かう形状であってもよいし、配線コード９１が配線コネクタ９２Ａとの接続部付近で屈曲して後側カバー体８０の後面と略平行に延びてからハーネス露出開口部８３に向かう形状であってもよい。また、図６に示すように、第２コネクタ開口部８４とハーネス露出開口部８３との境界部分は、若干くびれている。
【００８０】
さて、後側カバー体８０には、第２コネクタ開口部８４とハーネス露出開口部８３との境界部分（くびれ部分）を跨ぐようにして、本発明の被覆部８７が設けられている。被覆部８７は、後側カバー体８０の後面から後方に起立した左右１対の対向壁８７Ａ，８７Ａの後端部同士の間に被覆壁８７Ｂを差し渡して上下方向に開口した門型構造をなしており、この被覆部８７の内側に、後側カバー体８０から露出したハーネス９０の湾曲部分９０Ｗの一部が通されている。これにより、ハーネス９０の湾曲部分９０Ｗの一部を被覆部８７で保護することができると共に、後側カバー体８０に対するハーネス９０の位置決めがなされる。ここで、被覆部８７は、第２コネクタ開口部８４に近い部分、即ち、ハーネス９０の第１ＬＥＤ回路基板７０と接続した配線コネクタ９２Ａの近接位置に設けられている。 また、被覆壁８７Ｂにより、ハーネス９０の後側カバー体８０から露出した湾曲部分９０Ｗが後方から押さえられている。これにより、ハーネス露出開口部８３から露出したハーネス９０の湾曲部分９０Ｗの後方への膨らみ量を抑えることができる。より詳細には、図７に示すように、被覆壁８７Ｂに押さえつけられたハーネス９０が、後側カバー体８０の後面と略平行に延びており、湾曲部分９０Ｗの後方への膨らみ量が抑えられている。なお、対向壁８７Ａ，８７Ａと被覆壁８７Ｂとで囲まれた被覆部８７の内部空間Ｃは、ハーネス９０に備えた配線コネクタ９２Ａ，９２Ｂよりも小さくなっており、配線コネクタ９２Ａ，９２Ｂが通過できないようになっている。以上が本実施形態におけるパチンコ遊技機１０の構成の説明である。
【００８１】
ところで、上記サイドランプ４０Ａは、以下の手順で組み立てられる。まず、ハーネス９０を第１ＬＥＤ回路基板７０に接続する。次に、第１ＬＥＤ回路基板７０の後方から後側カバー体８０を近づけて、第１ＬＥＤ回路基板７０の基板コネクタ７２，７３を、後側カバー体８０の両コネクタ開口部８４，８６に突入させる。このとき、第１ＬＥＤ回路基板７０の第２基板コネクタ７２に接続されたハーネス９０の湾曲部分９０Ｗを、ハーネス露出開口部８３から後側カバー体８０の外側に露出させると共に、被覆部８７の内側に通す。この状態で、第１ＬＥＤ回路基板７０と後側カバー体８０とを螺旋止めする。ここで、第１の開口部８３と第２の開口部８４との間が連通しているので、配線コネクタ９２Ａを被覆部８７の内部空間Ｃに挿通不可能な構成であっても、ハーネス９０の湾曲部分９０Ｗを被覆部８７の内部に容易に通すことができる。
【００８２】
次に、ハーネス９０をベース部材６０の後側からハーネス挿通口６３に通してベース部材６０の前側に引き出し、引き出した配線コネクタ９２Ｂを第２ＬＥＤ回路基板５０に接続する。そして、その第２ＬＥＤ回路基板５０をベース部材６０とを螺旋止めすると共に、後側カバー体８０とベース部材６０とを螺旋止めする。最後に、ベース部材６０の前側に装飾カバー体４１を螺旋止めすれば、サイドランプ４０Ａの組み立ては完了である。
【００８３】
このように、本実施形態のパチンコ遊技機１０では、ハーネス９０の湾曲部分９０Ｗをハーネス露出開口８３から後側カバー体８０の外側に露出するようにしたので、後側カバー体８０と第１ＬＥＤ回路基板７０との間隔を近づけて、サイドランプ４０Ａの前後方向の寸法をコンパクト化することができる。これにより、サイドランプ４０Ａの設置スペースを従来よりも小さくすることができる。
【００８４】
ところで、後側カバー体８０に被覆部８７を設けなかった場合には、図１０に示すように、第２基板コネクタ７２にコネクタ接続されたハーネス９０は、後側カバー体８０の外側において、配線コネクタ９２Ａから後方に向かって延びてから湾曲して折り返され、ハーネス露出開口部８３を挿通して収納空間Ｓに収納される。しかしながら、このような構成では、例えば、ハーネス９０の露出した部分をつまんで後方（図１０の太線矢印で示す方向）へ引っ張ることで、ハーネス９０と第１ＬＥＤ回路基板７０との接続（配線コネクタ９２Ａと基板コネクタ７２とのコネクタ接続）が解除される虞がある。また、露出部分９０Ｗの後側カバー体８０の後方への膨らみ量が大きくなって後側カバー体８０の後方のスペースを有効利用できなくなったり、作業時に、ハーネス９０に工具等が引っ掛かり易い等の問題が生じ得る。
【００８５】
これに対し、本実施形態のパチンコ遊技機１０によれば、後側カバー体８０に被覆部８７を設けて、露出部分９０Ｗの一部を覆うようにしたので、以下のような効果を奏する。即ち、ハーネス９０のうち、ハーネス露出開口部８３からの露出した湾曲部分９０Ｗをつまんで後方（図７における左方向）へ引っ張った場合でも、ハーネス９０の一部が、被覆壁８７Ｂによりその引っ張り方向とは反対側に押さえられるので、引っ張り力が、第１ＬＥＤ回路基板７０とハーネス９０との接続部分（コネクタ７２，９２Ａ）にかかり難くなり、ハーネス９０と第１ＬＥＤ回路基板７０との接続解除が防止される。これにより、例えば、接続解除された基板コネクタ７２から電気ノイズを与えて出玉操作する等の不正行為を防止することができる。なお、本実施形態では、ハーネス９０の配線コネクタ９２Ａの近接位置に被覆部８７が設けられているので、上記接続解除をより効果的に防ぐことができる。即ち、接続解除の防止効果が強化されている。
【００８６】
また、図７に示すように、後側カバー体８０から露出したハーネス９０の湾曲部分９０Ｗが、被覆部８７によって後側カバー体８０側に押さえられるので、湾曲部分９０Ｗの後側カバー体８０の後方への膨らみ量が抑えられる。これにより、後側カバー体８０の後方のスペースを有効利用することが可能となると共に、作業時に工具等がハーネス９０に引っ掛かり難くなり、作業性が向上する。
【００８７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８８】
（１）前記実施形態では、パチンコ遊技機１０に本発明を適用していたが、遊技機であれば、アレンジボールやコイン遊技機等に備えてもよい。
【００８９】
（２）前記実施形態においては、後側カバー体８０のうち、第２コネクタ開口部８４とハーネス露出開口部８３とを連通して１つの開口としていたが、図１１に示すように、これら第２コネクタ開口部８４とハーネス露出開口部８３との間に、後側カバー体８０の後壁８１を残して両開口部８３，８４を独立させ、その壁部を第１ＬＥＤ回路基板７０を覆って保護する保護壁８５Ａとしてもよい。
【００９０】
また、図１２に示すように、第２コネクタ開口部８４とハーネス露出開口部８３との間に、第１ＬＥＤ回路基板７０を覆って保護する保護壁８５Ｂを設けつつこれらを連通させた構成としてもよい。
【００９１】
このとき、被覆部８７の被覆壁８７Ｂを保護壁８５Ａ，８５Ｂの後側に重なるように配置して、ハーネス９０を被覆部８７と保護壁８５Ａ，８５Ｂで囲まれた領域に通してもよい。さらに、ハーネス９０のうち、被覆部８７の内側に通された部分を保護壁８５Ａ，８５Ｂ上に載置してもよい。
【００９２】
（３）前記実施形態では、被覆部８７を後側カバー体８０に一体形成していたが、図１３に示すように、これらを別体として、着脱可能或いは一度装着したら取り外し不可能な構成としてもよい。具体的には、被覆部８７と後側カバー体８０との互いの接合面を凹凸係合させたり、接着剤で接着すればよい。
【００９３】
（４）前記実施形態では、被覆部８７が後側カバー体８０に対して固定されていたが、後側カバー体８０に対して前後方向に直動可能な構成としてもよい。具体的には、図１４及び図１５に示すように、被覆部８７の対向壁８７Ａに、外側に突出したガイド突部８７Ｔを形成する一方、後側カバー体８０に対向壁８７Ａと摺接するガイド壁８８を形成しかつそのガイド壁８８に前記ガイド突部８７Ｔと凹凸係合するガイド溝８８Ｍを形成する。これにより、被覆部８７は、ガイド突部８７Ｔとガイド溝８８Ｍとのスライド係合により後側カバー体８０に対して前後方向（図１４及び図１５における太線矢印の方向）に直動する。このようにすれば、ハーネス９０のハーネス露出開口部８３からの突出量に応じて、被覆部８７の後側カバー体８０からの突出量を調節することができるので、被覆部８７の突出量を必要最低限にすることができる。なお、被覆部８７に設けられたガイド突部８７Ｔ、後側カバー体８０に設けられたガイド壁８８及びガイド壁８８に形成されたガイド溝８８Ｍにより、本発明の「突出量調整機構」が構成されている。
【００９４】
（５）前記実施形態では、基板コネクタ５３の接続口５３Ａを水平横向きに配置していたが（図８を参照）、図１６に示すように、接続口５３Ａが前方（装飾カバー体４１側）を向くようにしてもよい。これにより、ハーネス９０が収納空間Ｓ側（後側）に引っ張られた場合には、ハーネス９０の引っ張り方向と、ハーネス９０と第２ＬＥＤ回路基板５０とのコネクタ接続を解除するための方向とが逆向きになるので、コネクタ接続が解除されるのを確実に防止することができる。
【００９５】
（６）前記実施形態では、基板コネクタ７２，７３が、後側カバー体８０の外側に突出するように構成していたが、後側カバー体８０の内側に配置されるようにしてもよい。そして、第２コネクタ開口部８４を通して、ハーネス９０の配線コネクタ９２Ａに記載された識別記号９３Ａを視認可能としてもよい。
【００９６】
（７）前記実施形態では、被覆部８７を１つだけ備えていたが、複数の被覆部を設けてもよい。
【００９７】
（８）前記実施形態では、被覆部８７が第２コネクタ開口部８４とハーネス露出開口部８３との境界位置に設けられていたが、ハーネス９０の後側カバー体８０から露出した部分を覆う構成であれば、被覆部８７の位置はこれに限るものではない。
【００９８】
（９）前記実施形態では、サイドランプ４０Ａに本発明を適用していたが、回路基板と他の電気的装置或いは電気的部品（具体的には、液晶モジュールやスピーカ等）との間をハーネスで接続した表示装置や音声制御装置に本発明を適用してもよい。
【図面の簡単な説明】
【００９９】
【図１】本発明の一実施形態に係るパチンコ遊技機の正面図
【図２】パチンコ遊技機の背面図
【図３】サイドランプの正面図
【図４】サイドランプの後側斜視図
【図５】サイドランプの分解斜視図
【図６】サイドランプの拡大斜視図
【図７】サイドランプの側断面図
【図８】第２ＬＥＤ回路基板の正面図
【図９】ハーネスの平面図
【図１０】被覆部を備えていないサイドランプの側断面図
【図１１】他の実施形態（２）に係るサイドランプの側断面図
【図１２】他の実施形態（２）に係るサイドランプの平断面図
【図１３】他の実施形態（３）に係るサイドランプの側断面図
【図１４】他の実施形態（４）に係るサイドランプの平断面図
【図１５】他の実施形態（４）に係るサイドランプの平断面図
【図１６】他の実施形態（５）に係るサイドランプの平断面図
【図１７】従来のパチンコ遊技機の断面図
【符号の説明】
【０１００】
１０    パチンコ遊技機（遊技機）
４０Ａ    サイドランプ
５０    第２ＬＥＤ回路基板（他の電気的装置或いは電気的部品）
５３    基板コネクタ（第２接続部）
６０    ベース部材（第２カバー体）
６３    ハーネス挿通口（第３の開口部）
７０    第１ＬＥＤ回路基板（回路基板）
７２    第２基板コネクタ（接続部）
７３    第１基板コネクタ
８０    後側カバー体（カバー体）
８３    ハーネス露出開口部（第２の開口部）
８４    第２コネクタ開口部（第１の開口部）
８５Ａ，８５Ｂ    保護壁
８７    被覆部
８７Ｔ    ガイド突部
８８    ガイド壁
８８Ｍ    ガイド溝
９０    ハーネス（接続部材）
９２Ａ，９２Ｂ    配線コネクタ
９３Ａ    識別記号
Ｓ    収納空間
【図１】
2007007098.tif 000003
【図２】
2007007098.tif 000004
【図３】
2007007098.tif 000005
【図４】
2007007098.tif 000006
【図５】
2007007098.tif 000007
【図６】
2007007098.tif 000008
【図７】
2007007098.tif 000009
【図８】
2007007098.tif 000010
【図９】
2007007098.tif 000011
【図１０】
2007007098.tif 000012
【図１１】
2007007098.tif 000013
【図１２】
2007007098.tif 000014
【図１３】
2007007098.tif 000015
【図１４】
2007007098.tif 000016
【図１５】
2007007098.tif 000017
【図１６】
2007007098.tif 000018
【図１７】
2007007098.tif 000019